(57)【特許請求の範囲】
【請求項１】
基準側と比較側の入力端子を持つ電圧比較器と、
ｎ個の基準側キャパシタ、基準側電流源、該基準側電流源による前記各基準側キャパシタの充電および放電を入力クロックにより行うｎ個の基準側スイッチを有し、前記ｎ個の基準側キャパシタの内の１個のキャパシタの電圧を前記電圧比較器の基準側の入力端子に入力する基準側充放電回路と、
ｍ（ｍ＝ｎ又はｍ≠ｎ）個の比較側キャパシタ、比較側電流源、該比較側電流源による前記各比較側キャパシタの充電および放電を前記入力クロックにより行うｍ個の比較側スイッチを有し、前記ｍ個の比較側キャパシタの内の１個のキャパシタの電圧を前記電圧比較器の比較側の入力端子に入力する比較側充放電回路とを具備し、
前記ｎ個の基準側キャパシタの内から選択した１個と前記ｍ個の比較側キャパシタの内から選択した１個を１組として、電圧比較のための準備→充電電圧の前記電圧比較器による比較→充電電圧の放電のサイクルを、異なる各組について順次１入力クロックずつ遅らせて行いこれを繰り返し、前記電圧比較器から前記入力クロックを所定時間遅延したクロックを得るようにしたことを特徴とする遅延発生器。
【請求項２】
基準側と比較側の入力端子をもつ電圧比較器と、
第１〜第ｎの基準側キャパシタ、該各基準側キャパシタ充電用の１個の基準側電流源、及び該各基準側キャパシタの放電／充電／出力の切替用で且つ入力クロックにより切替制御される第１〜第ｎの基準側スイッチを有し、前記電圧比較器の基準側の入力端子に、前記第１〜第ｎの基準側キャパシタのうちの前記出力用に切り替えられている基準側スイッチに対応する１個の基準側キャパシタの電圧を入力させる基準側充放電回路と、
第１〜第ｎの比較側キャパシタ、該各比較側キャパシタ充電用の１個の比較側電流源、及び該各比較側キャパシタの放電／充電兼出力の切替用で且つ前記入力クロックにより切替制御される第１〜第ｎの比較側スイッチを有し、前記電圧比較器の比較側の入力端子に、前記第１〜第ｎの比較側キャパシタのうちの前記充電兼出力用に切り替えられている比較側スイッチに対応する１個の比較側キャパシタの電圧を入力させる比較側充放電回路とを具備し、
前記比較側キャパシタはその容量値が前記基準側キャパシタのｈ倍であり、前記比較側電流源の電流値は前記基準側電流源の電流値のｋ倍であり、
前記第１の基準側キャパシタが前記入力クロック毎に放電→充電→出力→放電を繰り返すと共に、前記第１の比較側キャパシタが前記第１の基準側キャパシタの放電→充電→出力→放電に同期して、放電→放電→充電兼出力→放電を繰り返し、
以降、前記第ｎの基準側キャパシタと前記第ｎの比較側キャパシタについてまで、順次１入力クロックずつ遅らせて同様な動作を行わせてこれを繰り返し、
前記電圧比較器から前記入力クロックを所定時間だけ遅延したクロックを出力するようにしたことを特徴とする遅延発生器。
【請求項３】
請求項２において、
前記比較側充放電回路を、前記第１〜第ｎの比較側キャパシタと、該各比較側キャパシタの放電／第１の充電兼出力／第２の充電兼出力の切替用で且つ前記入力クロックにより切替制御される第１〜第ｎの比較側スイッチと、前記各比較側スイッチの第１の充電兼出力用の第１の比較側電流源と、前記各比較側スイッチの第２の充電兼出力用の第２の比較側電流源と、前記各比較側スイッチの前記第１の充電兼出力と前記第２の充電兼出力の一方を選択して前記電圧比較器の比較側の入力端子に入力させる選択スイッチとを有する比較側充放電回路に置換し、前記比較側キャパシタはその容量値が前記基準側キャパシタのｈ倍であり、前記第１、第２の比較側電流源は電流値がｋ１，ｋ２（ｋ１／ｈ＜１）の２種類に切替可能であり、
前記第１の基準側キャパシタが前記入力クロック毎に放電→充電→出力→放電を繰り返すと共に、前記第１の比較側キャパシタが前記第１の基準側キャパシタの放電→充電→出力→放電に同期して放電→電流値ｋ１での充電→電流値ｋ２での充電→放電を繰り返し、
以降、前記第ｎの基準側キャパシタと前記第ｎの比較側キャパシタについてまで、順次１入力クロックずつ遅らせて同様な動作を行わせてこれを繰り返し、
且つ前記選択スイッチが前記電流値ｋ２での充電が行われる比較側キャパシタを選択するよう切り替わるようにしたことを特徴とする遅延発生器。
【請求項４】
請求項２において、
前記比較側充放電回路を、前記第１〜第ｎの比較側キャパシタと前記第１〜第ｎの比較側スイッチを奇数番目と偶数番目の２組に分けると共に、該２組に電流値がｋ１，ｋ２（ｋ１／ｈ＜１）の２種類に切替可能な第１，第２の比較側電流源を割り当て、前記２組の内の一方の組の出力を選択して前記電圧比較器の比較側の入力端子に入力する選択スイッチを有する比較側充放電回路に置換し、
前記第１の基準側キャパシタが前記入力クロック毎に放電→充電→出力→放電を繰り返すと共に、前記第１の比較側キャパシタが前記第１の基準側キャパシタの放電→充電→出力→放電に同期して放電→電流値ｋ１での充電→電流値ｋ２での充電→放電を繰り返し、
以降、前記第ｎの基準側キャパシタと前記第ｎの比較側キャパシタについてまで、順次１入力クロックずつ遅らせて同様な動作を行わせてこれを繰り返し、
且つ前記選択スイッチが前記２組の内の前記電流値ｋ２で充電が行われる一方の組を選択するよう切り替わるようにしたことを特徴とする遅延発生器。
【請求項５】
請求項４において、
前記基準側充放電回路の基準側キャパシタと基準側スイッチをｎ−１個に削減し、
前記第１の基準側キャパシタが前記入力クロック毎に放電→充電→出力→放電を繰り返すと共に、前記第１の比較側キャパシタが前記第１の基準側キャパシタの放電→充電→出力→放電に同期して放電→電流値ｋ１での充電→電流値ｋ２での充電→放電を繰り返し、
前記第２の基準側キャパシタと前記第２の比較側キャパシタ、・・・、前記第ｎ−１の基準側キャパシタと前記第ｎ−１の比較側キャパシタ、前記第１の基準側キャパシタと前記第ｎの比較側キャパシタ、前記第２の基準側キャパシタと前記第１の比較側キャパシタ、・・・・について、順次１入力クロックずつ遅らせて同様な動作を行わせてこれを繰り返す、
ようにしたことを特徴とする遅延発生器。
【請求項６】
請求項２において、
前記比較側充放電回路を、前記第１〜第ｎの比較側キャパシタと、該各比較側キャパシタの放電／第１の充電兼出力／第２の充電兼出力の切替用で且つ入力クロックで切替制御される第１〜第ｎの比較側スイッチと、前記各比較側スイッチの第１の充電兼出力用の第１の比較側電流源と、前記各比較側スイッチの第２の充電兼出力用の第２の比較側電流源とを有し、前記電圧比較器の比較側の入力端子に、前記第１〜第ｎの比較側キャパシタのうちの前記第２の充電兼出力用に切り替えられている比較側スイッチに対応する１個の比較側キャパシタの電圧を入力させる比較側充放電回路に置換し、
前記比較側キャパシタはその容量値が前記基準側キャパシタのｈ倍であり、前記第１の電流源は電流値がｋ１（ｋ１／ｈ＜１）、第２の比較側電流源は電流値がｋ２であり、
前記第１の基準側キャパシタが前記クロック毎に放電→充電→出力→放電を繰り返すと共に、前記第１の比較側キャパシタを前記第１の基準側キャパシタの放電→充電→出力→放電に同期して放電→電流値ｋ１での充電→電流値ｋ２での充電→放電を繰り返し、
以降、前記第ｎの基準側キャパシタと前記第ｎの比較側キャパシタについてまで、順次１入力クロックずつ遅らせて同様な動作を行わせてこれを繰り返す、
ようにしたことを特徴とする遅延発生器。
【請求項７】
請求項１乃至６において、
前記基準側充放電回路を削除して前記電圧比較器の基準側の入力端子に一定電圧を印加するようにしたことを特徴とする遅延発生器。
【請求項８】
請求項２乃至６において、
前記電圧比較器の基準側の入力端子と比較側の入力端子の電圧が一致したタイミングで、前記電圧比較器に電圧を出力している基準側キャパシタと比較側キャパシタの放電を開始するようにしたことを特徴とする遅延発生器。
【請求項９】
請求項１乃至８において、
前記充電を放電に代えると共に、前記放電を充電に代えたことを特徴とする遅延発生器。
【請求項１０】
請求項２において、ｋ、ｈの少なくとも１個を可変としたことを特徴とする遅延発生器。
【請求項１１】
請求項３乃至６において、ｋ１，ｋ２、ｈの少なくとも１個を可変としたことを特徴とする遅延発生器。
【発明の詳細な説明】
【０００１】
【発明の属する技術分野】
本発明は、入力クロックに対し所望の時間だけ遅延させたクロックを出力する遅延発生器において、特に回路規模や消費電力を低減させる技術に関するものである。
【０００２】
【従来の技術】
図２７に従来の遅延発生器の例（電子情報通信学会１９９９年総合大会講演論文集エレクロトニクス１、Ｃ−２−２１「対称構造の遅延発生器を用いた位相補間型ＤＤＳ」ｐ５９）を示す。Ｓ１，Ｓ２はスイッチ、Ｃ１はキャパシタ（容量値１）、Ｃ２は容量値がキャパシタＣ１の容量値のｐ倍のキャパシタ、Ｉ１は電流源（電流値１）、Ｉ２は電流値が電流源Ｉ１の電流値のｑ倍の電流源、１１は比較電圧Ｖｒが基準電圧Ｖｔに対してＶｒ≦Ｖｔになると出力電圧Ｖｏを「Ｈ」にし所定時間経過すると「Ｌ」にする電圧比較器である。この遅延発生器は、スイッチＳ１，Ｓ２をクロック（入力信号）によりオン／オフ制御して、そのクロックに対して所定時間遅延したクロック（出力信号）を生成するものである。
【０００３】
図２８はこの遅延発生器の動作波形を示す図である。ここでは、時刻ｔ０ではスイッチＳ１、Ｓ２をオンとし、キャパシタＣ１，Ｃ２を充分放電しておく。時刻ｔ１でスイッチＳ１をオフにして電流源Ｉ１の電流値１で時刻ｔ２までキャパシタＣ１を充電し、時刻ｔ２でスイッチＳ１をオフにする。以上により、電圧Ｖｔ（実線）は時刻ｔ１まではＶＤＤと等しい電圧となっているが、時刻ｔ１からｔ２まで傾きが１の割合で降下し、時刻ｔ２からは一定の電圧に保持される。
【０００４】
次に、時刻ｔ２でスイッチＳ２をオフとし、電流源Ｉ２の電流値ｑでキャパシタＣ２を充電する。これにより、電圧Ｖｒ（破線）は時刻ｔ２まではＶＤＤと等しいが、時刻ｔ２から容量値ｐのキャパシタＣ２が電流値ｑで充電されるため、その電圧Ｖｒは傾きがｑ／ｐ（ｑ／ｐ＞１）の割合で低下していく。そして、Ｖｒ＝Ｖｔとなった時刻に電圧比較器３の出力電圧Ｖｏが「Ｈ」に立ち上がる。
【０００５】
次に、時刻ｔ３でスイッチＳ１，Ｓ２をオンとしてキャパシタＣ１，Ｃ２の電荷を放電して、以降は同様の操作を繰り替えす。
【０００６】
この遅延発生器では、回路定数の影響を受けることなく、正確に任意の遅延量が得られる。
【０００７】
【発明が解決しようとする課題】
ところが、この遅延発生器では、スイッチＳ１，Ｓ２をオン／オフ制御するクロックの１／３の周波数のクロックしか得ることができなかった。キャパシタＣ１，Ｃ２の放電タイミングを工夫することによって多少周波数を高くすることは可能であるが、その場合でも、入力クロック周波数の１／２程度の周波数までしか高周波化できなかった。
【０００８】
このため、希望の周波数の２倍以上のクロックを入力させて遅延発生器を動作させるか、あるいは図２９に示すように、図２７に示した遅延発生器を複数個（図２９では３個）並列に並べて、各ブロックＢ１，Ｂ２，Ｂ３のスイッチＳ１，Ｓ２のオン／オフのタイミングを異ならせ、各ブロックＢ１，Ｂ２，Ｂ３の電圧比較器１１の出力Ｖ１，Ｖ２，Ｖ３を論理和回路１４により加算する必要があったが、消費電力、回路規模の増大を招くという問題があった。
【０００９】
本発明の課題は消費電力や回路規模の増大を伴うことなく、入力クロックを所望の時間だけ遅延させ得るようにした遅延発生器を提供することである。
【００１０】
【課題を解決するための手段】
上記課題を解決するための第１の発明は、基準側と比較側の入力端子を持つ電圧比較器と、ｎ個の基準側キャパシタ、基準側電流源、該基準側電流源による前記各基準側キャパシタの充電および放電を入力クロックにより行うｎ個の基準側スイッチを有し、前記ｎ個の基準側キャパシタの内の１個のキャパシタの電圧を前記電圧比較器の基準側の入力端子に入力する基準側充放電回路と、ｍ（ｍ＝ｎ又はｍ≠ｎ）個の比較側キャパシタ、比較側電流源、該比較側電流源による前記各比較側キャパシタの充電および放電を前記入力クロックにより行うｍ個の比較側スイッチを有し、前記ｍ個の比較側キャパシタの内の１個のキャパシタの電圧を前記電圧比較器の比較側の入力端子に入力する比較側充放電回路とを具備し、前記ｎ個の基準側キャパシタの内から選択した１個と前記ｍ個の比較側キャパシタの内から選択した１個を１組として、電圧比較のための準備→充電電圧の前記電圧比較器による比較→充電電圧の放電のサイクルを、異なる各組について順次１入力クロックずつ遅らせて行いこれを繰り返し、前記電圧比較器から前記入力クロックを所定時間遅延したクロックを得るように構成した。
【００１１】
第２の発明は、基準側と比較側の入力端子をもつ電圧比較器と、第１〜第ｎの基準側キャパシタ、該各基準側キャパシタ充電用の１個の基準側電流源、及び該各基準側キャパシタの放電／充電／出力の切替用で且つ入力クロックにより切替制御される第１〜第ｎの基準側スイッチを有し、前記電圧比較器の基準側の入力端子に、前記第１〜第ｎの基準側キャパシタのうちの前記出力用に切り替えられている基準側スイッチに対応する１個の基準側キャパシタの電圧を入力させる基準側充放電回路と、第１〜第ｎの比較側キャパシタ、該各比較側キャパシタ充電用の１個の比較側電流源、及び該各比較側キャパシタの放電／充電兼出力の切替用で且つ前記入力クロックにより切替制御される第１〜第ｎの比較側スイッチを有し、前記電圧比較器の比較側の入力端子に、前記第１〜第ｎの比較側キャパシタのうちの前記充電兼出力用に切り替えられている比較側スイッチに対応する１個の比較側キャパシタの電圧を入力させる比較側充放電回路とを具備し、前記比較側キャパシタはその容量値が前記基準側キャパシタのｈ倍であり、前記比較側電流源の電流値は前記基準側電流源の電流値のｋ倍であり、前記第１の基準側キャパシタが前記入力クロック毎に放電→充電→出力→放電を繰り返すと共に、前記第１の比較側キャパシタが前記第１の基準側キャパシタの放電→充電→出力→放電に同期して、放電→放電→充電兼出力→放電を繰り返し、以降、前記第ｎの基準側キャパシタと前記第ｎの比較側キャパシタについてまで、順次１入力クロックずつ遅らせて同様な動作を行わせてこれを繰り返し、前記電圧比較器から前記入力クロックを所定時間だけ遅延したクロックを出力するように構成した。
【００１２】
第３の発明は、第２の発明において、前記比較側充放電回路を、前記第１〜第ｎの比較側キャパシタと、該各比較側キャパシタの放電／第１の充電兼出力／第２の充電兼出力の切替用で且つ前記入力クロックにより切替制御される第１〜第ｎの比較側スイッチと、前記各比較側スイッチの第１の充電兼出力用の第１の比較側電流源と、前記各比較側スイッチの第２の充電兼出力用の第２の比較側電流源と、前記各比較側スイッチの前記第１の充電兼出力と前記第２の充電兼出力の一方を選択して前記電圧比較器の比較側の入力端子に入力させる選択スイッチとを有する比較側充放電回路に置換し、前記比較側キャパシタはその容量値が前記基準側キャパシタのｈ倍であり、前記第１、第２の比較側電流源は電流値がｋ１，ｋ２（ｋ１／ｈ＜１）の２種類に切替可能であり、前記第１の基準側キャパシタが前記入力クロック毎に放電→充電→出力→放電を繰り返すと共に、前記第１の比較側キャパシタが前記第１の基準側キャパシタの放電→充電→出力→放電に同期して放電→電流値ｋ１での充電→電流値ｋ２での充電→放電を繰り返し、以降、前記第ｎの基準側キャパシタと前記第ｎの比較側キャパシタについてまで、順次１入力クロックずつ遅らせて同様な動作を行わせてこれを繰り返し、且つ前記選択スイッチが前記電流値ｋ２での充電が行われる比較側キャパシタを選択するよう切り替わるように構成した。
【００１３】
第４の発明は、第２の発明において、前記比較側充放電回路を、前記第１〜第ｎの比較側キャパシタと前記第１〜第ｎの比較側スイッチを奇数番目と偶数番目の２組に分けると共に、該２組に電流値がｋ１，ｋ２（ｋ１／ｈ＜１）の２種類に切替可能な第１，第２の比較側電流源を割り当て、前記２組の内の一方の組の出力を選択して前記電圧比較器の比較側の入力端子に入力する選択スイッチを有する比較側充放電回路に置換し、前記第１の基準側キャパシタが前記入力クロック毎に放電→充電→出力→放電を繰り返すと共に、前記第１の比較側キャパシタが前記第１の基準側キャパシタの放電→充電→出力→放電に同期して放電→電流値ｋ１での充電→電流値ｋ２での充電→放電を繰り返し、以降、前記第ｎの基準側キャパシタと前記第ｎの比較側キャパシタについてまで、順次１入力クロックずつ遅らせて同様な動作を行わせてこれを繰り返し、且つ前記選択スイッチが前記２組の内の前記電流値ｋ２で充電が行われる一方の組を選択するよう切り替わるように構成した。
【００１４】
第５の発明は、第４の発明において、前記基準側充放電回路の基準側キャパシタと基準側スイッチをｎ−１個に削減し、前記第１の基準側キャパシタが前記入力クロック毎に放電→充電→出力→放電を繰り返すと共に、前記第１の比較側キャパシタが前記第１の基準側キャパシタの放電→充電→出力→放電に同期して放電→電流値ｋ１での充電→電流値ｋ２での充電→放電を繰り返し、前記第２の基準側キャパシタと前記第２の比較側キャパシタ、・・・、前記第ｎ−１の基準側キャパシタと前記第ｎ−１の比較側キャパシタ、前記第１の基準側キャパシタと前記第ｎの比較側キャパシタ、前記第２の基準側キャパシタと前記第１の比較側キャパシタ、・・・・について、順次１入力クロックずつ遅らせて同様な動作を行わせてこれを繰り返すように構成した。
【００１５】
第６の発明は、第２の発明において、前記比較側充放電回路を、前記第１〜第ｎの比較側キャパシタと、該各比較側キャパシタの放電／第１の充電兼出力／第２の充電兼出力の切替用で且つ入力クロックで切替制御される第１〜第ｎの比較側スイッチと、前記各比較側スイッチの第１の充電兼出力用の第１の比較側電流源と、前記各比較側スイッチの第２の充電兼出力用の第２の比較側電流源とを有し、前記電圧比較器の比較側の入力端子に、前記第１〜第ｎの比較側キャパシタのうちの前記第２の充電兼出力用に切り替えられている比較側スイッチに対応する１個の比較側キャパシタの電圧を入力させる比較側充放電回路に置換し、前記比較側キャパシタはその容量値が前記基準側キャパシタのｈ倍であり、前記第１の電流源は電流値がｋ１（ｋ１／ｈ＜１）、第２の比較側電流源は電流値がｋ２であり、前記第１の基準側キャパシタが前記クロック毎に放電→充電→出力→放電を繰り返すと共に、前記第１の比較側キャパシタを前記第１の基準側キャパシタの放電→充電→出力→放電に同期して放電→電流値ｋ１での充電→電流値ｋ２での充電→放電を繰り返し、以降、前記第ｎの基準側キャパシタと前記第ｎの比較側キャパシタについてまで、順次１入力クロックずつ遅らせて同様な動作を行わせてこれを繰り返すように構成した。
【００１６】
第７の発明は、第１乃至第６の発明において、前記基準側充放電回路を削除して前記電圧比較器の基準側の入力端子に一定電圧を印加するよう構成した。
【００１７】
第８の発明は、第２乃至第６の発明において、前記電圧比較器の基準側の入力端子と比較側の入力端子の電圧が一致したタイミングで、前記電圧比較器に電圧を出力している基準側キャパシタと比較側キャパシタの放電を開始するように構成した。
【００１８】
第９の発明は、第１乃至第８の発明において、前記充電を放電に代えると共に、前記放電を充電に代えて構成した。
【００１９】
第１０の発明は、第２の発明において、ｋ、ｈの少なくとも１個を可変とするよう構成した。
【００２０】
第１１の発明は、第３乃至第６の発明において、ｋ１，ｋ２、ｈの少なくとも１個を可変とするよう構成した。
【００２１】
【発明の実施の形態】
［第１の実施の形態］
図１は本発明の第１の実施の形態の遅延発生器の回路図である。Ｃ１１，Ｃ１２，Ｃ１３は一端が電源ＶＤＤに接続された基準側キャパシタ（容量値１）、Ｓ１１，Ｓ１２、Ｓ１３は可動端子ａに対し固定端子ｂ，ｃ，ｄをもつ３端子切替型のキャパシタ充放電切替用の基準側スイッチ、Ｉ１１は一端が接地された基準側電流源（電流値１）、１１は基準側入力端子の電圧Ｖｔと比較側入力端子の電圧Ｖｒが、Ｖｒ≦Ｖｔになると出力電圧Ｖｏを「Ｈ」に立ち上げる電圧比較器である。そして、各スイッチＳ１１〜Ｓ１３の端子ａ，ｂは対応するキャパシタの両端に、端子ｃは共通に電流源Ｉ１１に、端子ｄは共通に電圧比較器１１の電圧Ｖｔの入力端子に接続されている。前記の基準側のキャパシタＣ１１〜Ｃ１３、基準側スイッチＳ１１〜Ｓ１３、および基準側電流源は基準側充放電回路を構成している。
【００２２】
Ｃ２１，Ｃ２２，Ｃ２３は一端が電源ＶＤＤに接続され容量値が前記キャパシタＣ１１，Ｃ１２，Ｃ１３の容量値のｈ倍の比較側キャパシタ、Ｓ２１，Ｓ２２、Ｓ２３は可動端子ａに対し固定端子ｂ，ｃをもつ２端子切替型のキャパシタ充放電切替用の比較側スイッチ、Ｉ２１は一端が接地され電流値が前記電流源Ｉ１１の電流値のｋ倍の比較側電流源である。そして、各スイッチＳ２１〜Ｓ２３の端子ａ，ｂは対応するキャパシタの両端に、端子ｃは共通に電流源Ｉ２１と電圧比較器１１の電圧Ｖｒの入力端子に接続されている。前記の比較側のキャパシタＣ２１〜Ｃ２３、比較側スイッチＳ２１〜Ｓ２３、および比較側電流源は比較側充放電回路を構成している。以下、図２，図３を参照して動作を説明する。
【００２３】
（時刻ｔ０）：各スイッチＳ１１〜Ｓ１３，Ｓ２１〜Ｓ２３の端子ａを端子ｂに接続して各キャパシタＣ１１〜Ｃ１３，Ｃ２１〜Ｃ２３を充分放電する。
【００２４】
（時刻ｔ１）：スイッチＳ１１の端子ａを端子ｃに接続してキャパシタＣ１１を電流源Ｉ１１の電流値１で充電する。
【００２５】
（時刻ｔ２）：スイッチＳ１１の端子ａを端子ｄに接続しキャパシタＣ１１の電圧をＶｔとして電圧比較器１１に入力させる。また、スイッチＳ１２の端子ａを端子ｃに接続してキャパシタＣ１２を電流源Ｉ１１の電流値１で充電する。さらに、スイッチＳ２１の端子ａを端子ｃに接続してキャパシタＣ２１を電流値ｋで充電し、その電圧をＶｒとして電圧比較器１１に入力させる。以上により、Ｖｔ＝Ｖｒとなった時点で電圧比較器１１の出力電圧Ｖｏが「Ｈ」になる。
【００２６】
（時刻ｔ３）：スイッチＳ１１の端子ａを端子ｂに接続してキャパシタＣ１１を放電させる。また、スイッチＳ２１の端子ａを端子ｂに接続してキャパシタＣ２１を放電させる。また、スイッチＳ１２の端子ａを端子ｄに接続してキャパシタＣ１２の電圧をＶｔとして電圧比較器１１に入力させる。また、スイッチＳ２２の端子ａを端子ｃに接続してキャパシタＣ２２を電流値ｋで充電し、その電圧をＶｒとして電圧比較器１１に入力する。さらに、Ｓ１３の端子ａを端子ｃに接続してキャパシタＣ１３を電流値１で充電する。以上により、Ｖｔ＝Ｖｒとなった時点で電圧比較器１１の出力電圧Ｖｏが「Ｈ」になる。
【００２７】
以下、図３に示すように、スイッチＳ１１〜Ｓ１３、Ｓ２１〜Ｓ２３の端子ａを切り替えることにより、電圧Ｖｔ、Ｖｒ、Ｖｏは図２に示すように変化する。時刻ｔ０，ｔ１，ｔ２，・・・のタイミングで立ち上がる入力クロックをスイッチＳ１１〜Ｓ１３、Ｓ２１〜Ｓ２３の制御用とし、その周期をＴとしたとき、電圧Ｖｏの立ち上がりタイミングは、ｈＴ／ｋだけその入力クロックの立ち上がりよりも遅れる。よって、ｈ又はｋの少なくとも一方を変化させてｈ／ｋの比を可変できるようにすれば、遅延量を可変できる。
【００２８】
このように入力クロックと同一周波数でｈＴ／ｋだけ遅延した出力クロックを得ることができる。このとき、電圧比較器１１は１個のみで済み、また他の回路素子についてもキャパシタ６個、電流源２個、スイッチ６個で済み、回路規模が小さく消費電力も少ない遅延発生器を実現できる。
【００２９】
なお、電圧比較器１１の出力Ｖｏが「Ｈ」→「Ｌ」に立ち下がるタイミングについては説明しなかったが、このタイミングは出力Ｖｏが次に「Ｈ」になるタイミングより前ならいつでも良い。この立ち下がりのタイミングは、例えば電圧比較器１１にワンショットマルチを内蔵させることで設定することができる。
【００３０】
また、図２の波形図では、電圧Ｖｔは時刻ｔ０〜ｔ１の間はスイッチＳ１１〜Ｓ１３の端子ａが端子ｂに接続されている（よって、Ｖｔはハイインピーダンスのはず）のに「Ｈ」となっているが、この期間中は図示しない別電源から「Ｈ」の電圧を印加し、時刻ｔ１でこの印加を解除すると同時にキャパシタＣ１１の電圧を印加している。電圧Ｖｒについても、時刻ｔ０〜ｔ２の間はスイッチＳ２１〜Ｓ２３の端子ａが端子ｂに接続されている（よって、Ｖｒは接地電位のはず）のに「Ｈ」となっているが、同様にこの期間中は図示しない別電源から「Ｈ」の電圧を印加し、時刻ｔ２でこの印加を解除すると同時にキャパシタＣ２１の電圧を印加している。このように動作の開始時点で電圧Ｖｔ、Ｖｒをあらかじめ「Ｈ」に設定しておくことにより、動作が正確となり安定する。
【００３１】
［第２の実施形態］
図４は第２の実施形態の遅延発生器の回路図である。ここでは、出力電圧Ｖｏが立ち上がった時点で、端子ｄに接続されているスイッチＳ１１，Ｓ１２の端子ａと端子ｃに接続されているスイッチＳ２１，Ｓ２２の端子ａを端子ｂに切り替えて、対応するキャパシタを放電させるようにした。この場合は、キャパシタとスイッチは４個で済む。
【００３２】
図５はその動作波形、図６はその切替関係を示す。ここでは、時刻ｔ２’でスイッチＳ１１，Ｓ２１の端子ａを端子ｂに、時刻ｔ３’でスイッチＳ１２，Ｓ２２の端子ａを端子ｂに、時刻ｔ４’でスイッチＳ１１，Ｓ２１の端子ａを端子ｂに、・・・・切り替えている。出力電圧Ｖｏの遅延量と周波数は図１〜図３に示した構成の場合と同じである。
【００３３】
［第３の実施形態］
図７は第３の実施形態の遅延発生器の回路図である。この実施形態は、図１の遅延発生器において基準側充放電回路を削除し、電圧Ｖｔを外部から一定値として与えた場合であり、これにより図１の電圧Ｖｔを発生させる回路部分を省略したものである。以下、動作を説明する。
【００３４】
（時刻ｔ２まで）：スイッチＳ２１〜Ｓ２３の端子ａを端子ｂに接続して各キャパシタＣ２１〜Ｃ２３を充分放電しておく。
【００３５】
（時刻ｔ２）：スイッチＳ２１の端子ａを端子ｃに接続してキャパシタＣ２１を電流値ｋで充電し、その電圧をＶｒ（破線）として電圧比較器１１に入力する。これによりＶｔ＝Ｖｒになると、電圧比較器１１の出力電圧Ｖｏが「Ｈ」になる。
【００３６】
（時刻ｔ３）：スイッチＳ２１の端子ａを端子ｂに接続してキャパシタＣ２１を放電する。また、スイッチＳ２２の端子ａを端子ｃに接続してキャパシタＣ２２を電流値ｋで充電し、その電圧をＶｒとして電圧比較器１１に入力する。これによりＶｔ＝Ｖｒになると、電圧比較器１１の出力電圧Ｖｏが「Ｈ」になる。
【００３７】
（時刻ｔ４）：スイッチＳ２２の端子ａを端子ｂに接続してキャパシタＣ２２を放電する。また、スイッチＳ２３の端子ａを端子ｃに接続してキャパシタＣ２３を電流値ｋで充電し、その電圧をＶｒとして電圧比較器１１に入力する。これによりＶｔ＝Ｖｒになると、電圧比較器１１の出力電圧Ｖｏが「Ｈ」になる。
【００３８】
以下、図９に示すようにスイッチＳ２１〜Ｓ２３の端子ａを切り替えることにより、電圧Ｖｒ、Ｖｏは図８に示すように変化する。時刻ｔ０，ｔ１，ｔ２，・・・のタイミングで立ち上がるスイッチ制御用のクロックを入力信号とし、その周期をＴとしたとき、電圧Ｖｏの立ち上がりタイミングは、ｈ（ＶＤＤ−Ｖｔ）／ｋだけそのクロックの立ち上がりよりも遅れる。ただし、０≦ＶＤＤ−Ｖｔ≦ｈＴ／ｋ＜ＶＤＤの関係を満足するようｈ、ｋ、Ｖｔを設定する。
【００３９】
このように入力クロックと同一周波数でｈ（ＶＤＤ−Ｖｔ）／ｋだけ遅延した出力クロックを得ることができる。このとき、電圧比較器１１は１個のみで済み、また他の回路素子についてもキャパシタ３個、電流源１個、スイッチ３個で済み、より回路規模が小さく消費電力も少ない遅延発生器を実現できる。この例では、ｈ、ｋ又はＶｔの少なくとも一つを変化させれば、遅延量を可変できる。
【００４０】
［第４の実施形態］
図１０は第４の実施形態の遅延発生器の回路図である。ここでは、比較側充放電回路において、比較側キャパシタＣ２１〜Ｃ２３の充放電用として３端子切替型の比較側スイッチＳ３１，Ｓ３２，Ｓ３３を用い、またそのキャパシタＣ２１〜Ｃ２３に充電する電流源として、電流値がｋ１とｋ２（ｋ１＜ｋ２）の２値に切替可能な比較側電流源Ｉ３１，Ｉ３２を用い、さらに電圧比較器１１に電圧Ｖｒを入力する経路にスイッチＳ３１〜Ｓ３３の端子ｃ側又はｄ側を選択するための選択スイッチＳ４１を設ける。図１１は上記の電流源Ｉ３１，Ｉ３２ように電流値の切り替えが可能な電流源の具体例を示す図であり、複数のスイッチ１２と複数の電流源１３からなり、オンするスイッチ１２の数を切り替えることにより、電流値を複数種以上に変更できる。以下、図１２、図１３を参照して動作を説明する。なお、ｋ１／ｈ＜１である。
【００４１】
（時刻ｔ０）：各スイッチＳ１１〜Ｓ１３，Ｓ３１〜Ｓ３３の端子ａを端子ｂに接続して各キャパシタＣ１１〜Ｃ１３，Ｃ２１〜Ｃ２３を充分放電する。また、スイッチＳ４１の端子ａを端子ｂに接続する。
【００４２】
（時刻ｔ１）：スイッチＳ１１の端子ａを端子ｃに接続してキャパシタＣ１１を電流源Ｉ１１の電流値１で充電する。また、スイッチＳ３１を端子ｃに接続すると共に電流源Ｉ３１の電流値をｋ１としてキャパシタＣ２１を電流値ｋ１で充電する。
【００４３】
（時刻ｔ２）：スイッチＳ１１の端子ａを端子ｄに接続しキャパシタＣ１１の電圧をＶｔとして電圧比較器１１に入力させる。また、電流源Ｉ３１の電流値をｋ２に切り替えキャパシタＣ２１を電流値ｋ２で充電し、その電圧をＶｒとして電圧比較器１１に入力する。また、スイッチＳ１２の端子ａを端子ｃに接続してキャパシタＣ１２を電流値１で充電する。さらに、スイッチＳ３２の端子ａを端子ｄに接続すると共に電流源Ｉ３２の電流をｋ１としてキャパシタＣ２２を電流値ｋ１で充電する。以上により、Ｖｔ＝Ｖｒとなった時点で電圧比較器１１の出力電圧Ｖｏが「Ｈ」になる。
【００４４】
（時刻ｔ３）：スイッチＳ１１、Ｓ３１の端子ａを端子ｂに接続してキャパシタＣ１１、Ｃ２１を放電させる。また、スイッチＳ４１の端子ａを端子ｃに切り替える。また、スイッチＳ１２の端子ａを端子ｄに接続してキャパシタＣ１２の電圧をＶｔとして電圧比較器１１に入力させる。また、電流源Ｉ３２の電流値をｋ２に切り替えキャパシタＣ２２を電流値ｋ２で充電し、その電圧をＶｒとして電圧比較器１１に入力する。また、スイッチＳ１３の端子ａを端子ｃに接続してキャパシタＣ１３を電流値１で充電する。さらに、スイッチＳ３３の端子ａを端子ｃに接続すると共に電流源Ｉ３１の電流をｋ１としてキャパシタＣ２３を電流値ｋ１で充電する。以上により、Ｖｔ＝Ｖｒとなった時点で電圧比較器１１の出力電圧Ｖｏが「Ｈ」になる。
【００４５】
以下、図１３に示すようにスイッチＳ１１〜Ｓ１３、Ｓ３１〜Ｓ３３、Ｓ４１の端子ａを切り替えることにより、電圧Ｖｔ、Ｖｒ、Ｖｏは図１２に示すように変化する。
【００４６】
ここで、遅延量を可変する場合は、ｋ１／ｈを比を変えることにより行い、ｋ２／ｈの比は常に一定とする。これにより、ＶｔとＶｒが等しくなるときの電圧およびＶｒの傾きが常に一定となるので、電圧比較器１１の感度の影響を受け難くなる。ただし、これに限られるものではない。
【００４７】
また、電圧Ｖｒ発生用については、同じ電流源を２個（Ｉ３１，Ｉ３２）用意して、キャパシタＣ２１〜Ｃ２３の内の２個が個別に且つ同時に充電可能となるようにしている。
【００４８】
なお、前記第２の実施形態（図４〜図６）と同様に、電圧Ｖｏが立ち上がるタイミングでそのときＶｔ、Ｖｒを発生していたキャパシタを放電するようにすることもできる。図１４はこのときの波形図、図１５はスイッチの切り替えの説明図である。ｔ２’，ｔ３’，ｔ４’，・・・・がその放電タイミングである。また、第３の実施形態（図７〜図９）と同様に電圧Ｖｔは外部から一定値として与えるようにしても良い。
【００４９】
［第５の実施形態］
図１６は第５の実施形態の遅延発生器の回路図である。ここでは、基準側充放電回路のキャパシタＣ１１〜Ｃ１４の充放電用として３端子切替型のスイッチＳ１１〜Ｓ１４を用いる。また比較側充放電回路のキャパシタＣ２１，Ｃ２３の充放電用として２端子切替型のスイッチＳ２１，Ｓ２３と電流源Ｉ３１を用い、キャパシタＣ２２，Ｃ２４の充放電用として２端子切替型のスイッチＳ２２，Ｓ２４と電流源Ｉ３２を用いる。さらに、電圧比較器１１に電圧Ｖｒを入力する経路にスイッチＳ２１とＳ２３の側、又はスイッチＳ２２とＳ２４の側を選択するための選択スイッチＳ４２を設ける。以下、図１７，図１８を参照して動作を説明する。なお、ｋ１／ｈ＜１である。
【００５０】
（時刻ｔ０）：各スイッチＳ１１〜Ｓ１４，Ｓ２１〜Ｓ２４の端子ａを端子ｂに接続して各キャパシタＣ１１〜Ｃ１４，Ｃ２１〜Ｃ２４を充分放電する。また、スイッチＳ４２の端子ａを端子ｂに接続する。
【００５１】
（時刻ｔ１）：スイッチＳ１１の端子ａを端子ｃに接続してキャパシタＣ１１を電流源Ｉ１１の電流値１で充電する。また、スイッチＳ２１を端子ｃに接続すると共に電流源Ｉ３１の電流値をｋ１としてキャパシタＣ２１を電流値ｋ１で充電する。
【００５２】
（時刻ｔ２）：スイッチＳ１１の端子ａを端子ｄに接続しキャパシタＣ１１の電圧をＶｔとして電圧比較器１１に入力させる。また、電流源Ｉ３１の電流値をｋ２に切り替えキャパシタＣ２１を電流値ｋ２で充電し、その電圧をＶｒとして電圧比較器１１に入力する。また、スイッチＳ１２の端子ａを端子ｃに接続してキャパシタＣ１２を電流値１で充電する。さらに、スイッチＳ２２の端子ａを端子ｄに接続すると共に電流源Ｉ３２の電流をｋ１としてキャパシタＣ２２を電流値ｋ１で充電する。以上により、Ｖｔ＝Ｖｒとなった時点で電圧比較器１１の出力電圧Ｖｏが「Ｈ」になる。このタイミング時（時刻ｔ２’）にスイッチＳ１１，Ｓ２１の端子ａを端子ｂに接続してキャパシタＣ１１，Ｃ２１を放電する。また、スイッチＳ４２の端子ａを端子ｃに切り替える。
【００５３】
（時刻ｔ３）：スイッチＳ１２の端子ａを端子ｄに接続してキャパシタＣ１２の電圧をＶｔとして電圧比較器１１に入力させる。また、電流源Ｉ３２の電流値をｋ２に切り替えキャパシタＣ２２を電流値ｋ２で充電し、その電圧をＶｒとして電圧比較器１１に入力する。また、スイッチＳ１３の端子ａを端子ｃに接続してキャパシタＣ１３を電流値１で充電する。さらに、スイッチＳ２３の端子ａを端子ｃに接続すると共に電流源Ｉ３１の電流をｋ１としてキャパシタＣ２３を電流値ｋ１で充電する。以上により、Ｖｔ＝Ｖｒとなった時点で電圧比較器１１の出力電圧Ｖｏが「Ｈ」になる。このタイミング時（時刻ｔ３’）にスイッチＳ１２，Ｓ２２の端子ａを端子ｂに接続してキャパシタＣ１２，Ｃ２２を放電する。また、スイッチＳ４２の端子ａを端子ｂに切り替える。
【００５４】
以下、図１８に示すようにスイッチＳ１１〜Ｓ１４、Ｓ３１〜Ｓ３４、Ｓ４２の端子ａを切り替えることにより、電圧Ｖｔ、Ｖｒ、Ｖｏは図１７に示すように変化する。このように、ここでは、キャパシタＣ１１で発生する電圧ＶｔとキャパシタＣ２１で発生する電圧Ｖｒとの比較→キャパシタＣ１２で発生する電圧ＶｔとキャパシタＣ２２で発生する電圧Ｖｒとの比較→キャパシタＣ１３で発生する電圧ＶｔとキャパシタＣ２３で発生する電圧Ｖｒとの比較→キャパシタＣ１４で発生する電圧ＶｔとキャパシタＣ２４で発生する電圧Ｖｒとの比較→キャパシタＣ１１で発生する電圧ＶｔとキャパシタＣ２１で発生する電圧Ｖｒとの比較、・・・・が繰り返し行われる。
【００５５】
なお、ここでは電圧比較器１１の出力Ｖｏが「Ｈ」になると、そのタイミングでそのとき電圧Ｖｔ、Ｖｒを出力していたキャパシタを放電させているが、第４の実施形態（図１０、図１２、図１３）と同様に、次のクロックの立ち上がりタイミングで放電させても良い。また、第３の実施形態（図７〜図９）と同様に電圧Ｖｔは外部から一定値として与えるようにしても良い。
【００５６】
［第６の実施形態］
図１９は第６の実施形態の遅延発生器の回路図である。これは、図１６（第５の実施形態）に示した回路からキャパシタＣ１４とスイッチＳ１４を削除したものである。以下、図２０、図２１を参照して動作を説明する。
【００５７】
（時刻ｔ０）：各スイッチＳ１１〜Ｓ１３，Ｓ２１〜Ｓ２４の端子ａを端子ｂに接続して各キャパシタＣ１１〜Ｃ１３，Ｃ２１〜Ｃ２４を充分放電する。また、スイッチＳ４２の端子ａを端子ｂに接続する。
【００５８】
（時刻ｔ１）：スイッチＳ１１の端子ａを端子ｃに接続してキャパシタＣ１１を電流源Ｉ１１の電流値１で充電する。また、スイッチＳ２１を端子ｃに接続すると共に電流源Ｉ３１の電流値をｋ１としてキャパシタＣ２１を電流値ｋ１で充電する。
【００５９】
（時刻ｔ２）：スイッチＳ１１の端子ａを端子ｄに接続しキャパシタＣ１１の電圧をＶｔとして電圧比較器１１に入力させる。また、電流源Ｉ３１の電流値をｋ２に切り替えキャパシタＣ２１を電流値ｋ２で充電し、その電圧をＶｒとして電圧比較器１１に入力する。また、スイッチＳ１２の端子ａを端子ｃに接続してキャパシタＣ１２を電流値１で充電する。さらに、スイッチＳ２２の端子ａを端子ｄに接続すると共に電流源Ｉ３２の電流をｋ１としてキャパシタＣ２２を電流値ｋ１で充電する。以上により、Ｖｔ＝Ｖｒとなった時点で電圧比較器１１の出力電圧Ｖｏが「Ｈ」になる。このタイミング時（時刻ｔ２’）にスイッチＳ１１，Ｓ２１の端子ａを端子ｂに接続してキャパシタＣ１１，Ｃ２１を放電する。また、スイッチＳ４２の端子ａを端子ｃに切り替える。
【００６０】
（時刻ｔ３）：スイッチＳ１２の端子ａを端子ｄに接続してキャパシタＣ１２の電圧をＶｔとして電圧比較器１１に入力させる。また、電流源Ｉ３２の電流値をｋ２に切り替えキャパシタＣ２２を電流値ｋ２で充電し、その電圧をＶｒとして電圧比較器１１に入力する。また、スイッチＳ１３の端子ａを端子ｃに接続してキャパシタＣ１３を電流値１で充電する。さらに、スイッチＳ２３の端子ａを端子ｃに接続すると共に電流源Ｉ３１の電流をｋ１としてキャパシタＣ２３を電流値ｋ１で充電する。以上により、Ｖｔ＝Ｖｒとなった時点で電圧比較器１１の出力電圧Ｖｏが「Ｈ」になる。このタイミング時（時刻ｔ３’）にスイッチＳ１２，Ｓ３２の端子ａを端子ｂに接続してキャパシタＣ１２，Ｃ２２を放電する。また、スイッチＳ４２の端子ａを端子ｂに切り替える。
【００６１】
以下、図２１に示すようにスイッチＳ１１〜Ｓ１３、Ｓ２１〜Ｓ２４、Ｓ４２の端子ａを切り替えることにより、電圧Ｖｔ、Ｖｒ、Ｖｏは図２０に示すように変化する。このように、ここでは、キャパシタＣ１１で発生する電圧ＶｔとキャパシタＣ２１で発生する電圧Ｖｒとの比較→キャパシタＣ１２で発生する電圧ＶｔとキャパシタＣ２２で発生する電圧Ｖｒとの比較→キャパシタＣ１３で発生する電圧ＶｔとキャパシタＣ２３で発生する電圧Ｖｒとの比較→キャパシタＣ１１で発生する電圧ＶｔとキャパシタＣ２４で発生する電圧Ｖｒとの比較→キャパシタＣ１２で発生する電圧ＶｔとキャパシタＣ２１で発生する電圧Ｖｒとの比較→・・・・が繰り返し行われる。
【００６２】
なお、ここでも電圧比較器１１の出力Ｖｏが「Ｈ」になると、そのタイミングでそのとき電圧Ｖｔ、Ｖｒを出力していたキャパシタを放電させているが、第４の実施形態（図１０、図１２、図１３）と同様に、次のクロックの立ち上がりタイミングで放電させても良い。また、第３の実施形態（図７〜図９）と同様に電圧Ｖｔは外部から一定値として与えるようにしても良い。
【００６３】
［第７の実施形態］
図２２は第７の実施形態の遅延発生器の回路図である。これは、図１０（第４の実施形態）の遅延発生器において、電流源Ｉ３１，Ｉ３２を電流値ｋ１の電流源Ｉ４１と電流値ｋ２の電流源Ｉ４２に置換し、スイッチＳ４１を削除したものである。以下、図２３、図２４を参照して動作を説明する。
【００６４】
（時刻ｔ０）：各スイッチＳ１１〜Ｓ１３，Ｓ３１〜Ｓ３３の端子ａを端子ｂに接続して各キャパシタＣ１１〜Ｃ１３，Ｃ２１〜Ｃ２３を充分放電する。
【００６５】
（時刻ｔ１）：スイッチＳ１１の端子ａを端子ｃに接続してキャパシタＣ１１を電流源Ｉ１１の電流値１で充電する。また、スイッチＳ３１を端子ｃに接続し電流源Ｉ４１の電流値ｋ１でキャパシタＣ２１を充電する。
【００６６】
（時刻ｔ２）：スイッチＳ１１の端子ａを端子ｄに接続しキャパシタＣ１１の電圧をＶｔとして電圧比較器１１に入力させる。また、スイッチＳ３１の端子ａを端子ｄに接続し電流源Ｉ４２の電流値ｋ２でキャパシタＣ２１を充電し、その電圧をＶｒとして電圧比較器１１に入力する。また、スイッチＳ１２の端子ａを端子ｃに接続してキャパシタＣ１２を電流値１で充電する。さらに、スイッチＳ３２の端子ａを端子ｃに接続し電流源Ｉ４１の電流ｋ１でキャパシタＣ２２を充電する。以上により、Ｖｔ＝Ｖｒとなった時点で電圧比較器１１の出力電圧Ｖｏが「Ｈ」になる。
【００６７】
（時刻ｔ３）：スイッチＳ１１、Ｓ３１の端子ａを端子ｂに接続してキャパシタＣ１１、Ｃ２１を放電させる。また、スイッチＳ１２の端子ａを端子ｄに接続してキャパシタＣ１２の電圧をＶｔとして電圧比較器１１に入力させる。また、スイッチＳ３２の端子ａを端子ｄに接続し電流源Ｉ４２の電流値ｋ２でキャパシタＣ２２を充電し、その電圧をＶｒとして電圧比較器１１に入力する。また、スイッチＳ１３の端子ａを端子ｃに接続してキャパシタＣ１３を電流値１で充電する。さらに、スイッチＳ３３の端子ａを端子ｃに接続し電流源Ｉ４１の電流値ｋ１でキャパシタＣ２３を充電する。以上により、Ｖｔ＝Ｖｒとなった時点で電圧比較器１１の出力電圧Ｖｏが「Ｈ」になる。
【００６８】
以下、図２４に示すようにスイッチＳ１１〜Ｓ１３、Ｓ３１〜Ｓ３３の端子ａを切り替えることにより、電圧Ｖｔ、Ｖｒ、Ｖｏは図２３に示すように変化する。このように、ここではキャパシタＣ２１〜Ｃ２３を充電する電流値の異なる電流源Ｉ４１，Ｉ４２を使用しているので、図１０の遅延発生器に比べて回路が簡素化されている。
【００６９】
なお、ここでも、前記第２の実施形態（図４〜図６）と同様に、電圧Ｖｏが立ち上がるタイミングでそのときＶｔ、Ｖｒを発生していたキャパシタを放電するようにすることもできる。また、第３の実施形態（図７〜図９）と同様に電圧Ｖｔは外部から一定値として与えるようにしても良い。
【００７０】
［その他の実施形態］
また、以上ではキャパシタを電源ＶＤＤに接続し、電流源を接地に接続しているが、キャパシタを接地に接続し、電流源を負電源（ＶＥＥ）に接続しても良い。また、前記した各動作において、充電を行うタイミングで放電を行い、放電を行うタイミングで充電を行うようにしても良い。
【００７１】
また、３端子切替型のスイッチＳ１１〜Ｓ１４、Ｓ３１〜Ｓ３３は図２９の（ａ）、（ｂ）に示すような１対の接点を複数対組み合わせたスイッチに置換可能である。また、２端子切替型のスイッチＳ２１〜Ｓ２４は図２８の（ａ）、（ｂ）に示すような１対の接点を複数対組み合わせたスイッチに置換可能である。これらの場合、同時に２対又はそれ以上の対の接点間をオンさせることができる。
【００７２】
【発明の効果】
以上から本発明によれば、小さな回路規模で入力クロックを所望の時間だけ遅延させた出力クロックを得ることができる。
【図面の簡単な説明】
【図１】本発明の第１の実施形態の遅延発生器の回路図である。
【図２】図１の遅延発生器の動作波形図である。
【図３】図１の遅延発生器のスイッチ切替説明図である。
【図４】本発明の第２の実施形態の遅延発生器の回路図である。
【図５】図４の遅延発生器の動作波形図である。
【図６】図４の遅延発生器のスイッチ切替説明図である。
【図７】本発明の第３の実施形態の遅延発生器の回路図である。
【図８】図７の遅延発生器の動作波形図である。
【図９】図７の遅延発生器のスイッチ切替説明図である。
【図１０】本発明の第４の実施形態の遅延発生器の回路図である。
【図１１】電流値の切替可能な電流源の回路図である。
【図１２】図１０の遅延発生器の動作波形図である。
【図１３】図１０の遅延発生器のスイッチ切替説明図である。
【図１４】図１０の遅延発生器を電圧比較器の出力が出たとき対応するキャパシタを放電するよう動作させる場合の動作波形図である。
【図１５】図１４の動作を行わせるための図１０の遅延発生器のスイッチ切替説明図である。
【図１６】本発明の第５の実施形態の遅延発生器の回路図である。
【図１７】図１６の遅延発生器の動作波形図である。
【図１８】図１６の遅延発生器のスイッチ切替説明図である。
【図１９】本発明の第６の実施形態の遅延発生器の回路図である。
【図２０】図１９の遅延発生器の動作波形図である。
【図２１】図１９の遅延発生器のスイッチ切替説明図である。
【図２２】本発明の第７の実施形態の遅延発生器の回路図である。
【図２３】図２２の遅延発生器の動作波形図である。
【図２４】図２２の遅延発生器のスイッチ切替説明図である。
【図２５】スイッチＳ１１〜Ｓ１４，Ｓ３１〜Ｓ３３と置換できる別のスイッチの説明図である。
【図２６】スイッチＳ２１〜Ｓ２４と置換できる別のスイッチの説明図である。
【図２７】従来の遅延発生器の回路図である。
【図２８】図２９の遅延発生器の動作波形図である。
【図２９】従来の別の遅延発生器の回路図である。
【符号の説明】
Ｃ１１，Ｃ１２，Ｃ１３，Ｃ１４：基準側キャパシタ
Ｓ１１，Ｓ１２，Ｓ１３，Ｓ１４：基準側スイッチ
Ｉ１１：基準側電流源
Ｃ２１，Ｃ２２，Ｃ２３，Ｃ２４：比較側キャパシタ
Ｓ２１，Ｓ２２，Ｓ２３，Ｓ２４：比較側スイッチ
Ｓ３１，Ｓ３２，Ｓ３３：比較側スイッチ
Ｓ４１，Ｓ４２：選択スイッチ
Ｉ２１、Ｉ３１，Ｉ３２，Ｉ４１，Ｉ４２：比較側電流源
１１：電圧比較器
１２：スイッチ
１３：電流源
１４：論理和回路
Ｂ１，Ｂ２，Ｂ３：ブロック
【図１】
0003572573.tif 000002
【図２】
0003572573.tif 000003
【図３】
0003572573.tif 000004
【図４】
0003572573.tif 000005
【図５】
0003572573.tif 000006
【図６】
0003572573.tif 000007
【図７】
0003572573.tif 000008
【図８】
0003572573.tif 000009
【図９】
0003572573.tif 000010
【図１０】
0003572573.tif 000011
【図１１】
0003572573.tif 000012
【図１２】
0003572573.tif 000013
【図１３】
0003572573.tif 000014
【図１４】
0003572573.tif 000015
【図１５】
0003572573.tif 000016
【図１６】
0003572573.tif 000017
【図１７】
0003572573.tif 000018
【図１８】
0003572573.tif 000019
【図１９】
0003572573.tif 000020
【図２０】
0003572573.tif 000021
【図２１】
0003572573.tif 000022
【図２２】
0003572573.tif 000023
【図２３】
0003572573.tif 000024
【図２４】
0003572573.tif 000025
【図２５】
0003572573.tif 000026
【図２６】
0003572573.tif 000027
【図２７】
0003572573.tif 000028
【図２８】
0003572573.tif 000029
【図２９】
0003572573.tif 000030